(57)【特許請求の範囲】
【請求項１】
表裏に貫通する第１取付孔が形成され鉛直または略鉛直方向に配置される固定部の表面に、軒樋と係合して軒樋を支持する吊部が突設された吊具本体と、表裏に貫通する第２取付孔が形成され、鉛直または略鉛直方向に配置可能な表面と鼻隠し板表面に当接可能な裏面とを有し、厚みが上端から下端に向かって漸増する板状の補助部材を備え、吊具本体と補助部材とは別体であり、補助部材の上端に、吊具本体の固定部の上端部と係合可能な保持片が左右一対として突設され、吊具本体の固定部の第１取付孔と補助部材の第２取付孔を一致させて吊具本体と補助部材を一体化し、第１取付孔および第２取付孔に固定具が挿入されて鼻隠し板に取り付けられる軒樋支持具であって、補助部材の第２取付孔の内周面には固定具を係止するための弾性保持部が形成され、一体化した軒樋支持具の鼻隠し板への取り付けに先立って吊具本体の固定部の第１取付孔および補助部材の第２取付孔に挿入された固定具が第２取付孔の弾性保持部で係止されて一体化した軒樋支持具に仮固定されることを特徴とする軒樋支持具。
【発明の詳細な説明】
【技術分野】
【０００１】
本発明は、建物の軒先に軒樋を取り付けるための軒樋支持具に関する。
【背景技術】
【０００２】
軒樋支持具は、建物の軒先に配設された鼻隠し板の表面に当接して釘などの固定具により固定される固定部の表面に、軒樋の前壁および後壁の上端に設けられた耳部などに係合して軒樋を支持する吊部が突設されたものが一般的である。軒樋支持具は、固定部において鼻隠し板に固定されて取り付けられ、吊部において軒樋を吊持し、軒樋を建物の軒先に沿って取り付けることができる。このような軒樋支持具は、金属製のものばかりでなく、ポリカーボネートなどの耐候性の高い樹脂などから形成され、軽量化が図られている。
【０００３】
しかしながら、軒樋支持具は材料的にも強固であり、吊部と固定部との角度を変えることはできない。金属製のものは多少曲げることはできるが、曲げの自由度はさほど高くない。鼻隠し板は、鉛直方向または略鉛直と見なすことのできる略鉛直方向に配置されるばかりでなく、下端から上端にかけて前方に傾き、下端が後方に配置されて前傾し、勾配が付いていることもあり、このように勾配が付いている場合、軒樋を軒先に沿って水平に取り付けるためには、吊部と固定部との角度を変え、調整する必要があるが、施工現場において吊部と固定部との角度を変えることはできない。
【０００４】
そこで、本出願人は、種々の軒先に対して適切な角度に取り付けられる軒樋支持具を提案している（特許文献１）。
【０００５】
先に提案した軒樋支持具は、特許文献１に記載しているように、鼻隠し板に固定される固定板の周囲部分の表面に複数の嵌挿係止脚が突設された固定具と、表面に軒樋支持部が突設された係止板の周囲部分に嵌合係止孔が穿設された樋支持具とを備えたものであり、この軒樋支持具は、固定具の固定板を鼻隠し板に釘固定し、嵌合係止孔を嵌挿係止脚に嵌合係止させて係止板を固定板に結合固定して取り付けられる。したがって、上記軒樋支持具では、固定具の形状、厚さなどを変えることにより、軒樋支持部の上下の方向の調節を行うことができ、合成樹脂製のものでありながらも、鼻隠し板の勾配に対応して適切な角度に調整することができる。
【特許文献１】実公平６−３４５０８号公報
【発明の開示】
【発明が解決しようとする課題】
【０００６】
このように、先に提案した軒樋支持具は、勾配の付いた鼻隠し板に取り付けても、軒樋を水平に取り付けることができる優れたものであるが、その後の検討により改善すべき点が見出された。
【０００７】
上記軒樋支持具において固定具と樋支持具とは別体とされ、鼻隠し板の勾配に応じた適切な形状、厚みなどを有する固定具を鼻隠し板に釘固定することにより、樋支持具による軒樋の水平な吊持は可能となるが、軒樋支持具の取り付けには、固定具の鼻隠し板への釘固定と、樋支持具の固定具への結合固定という二つの手順を必要としており、嵌挿係止脚に嵌合係止孔を嵌合係止するため、たとえ樋支持具の固定具への結合固定作業は容易であっても、軒樋支持具は建物の軒先の鼻隠し板に取り付けられるものであることから、取付作業は高所で行われることに起因して上記二つの手順を必要とする軒樋支持具の施工性は良好であるとは言いがたい。
【０００８】
さらに上記軒樋支持具において固定具の鼻隠し板への釘固定は、実際上、軒樋支持具が鼻隠し板の所定の箇所に位置決めがなされた後、固定具の固定板に設けられた釘孔に釘が挿入され、片方の手で釘孔に釘が挿入された状態で釘および固定具を支えつつ、もう一方の手で釘の打入れ作業が行われるため、この点でも軒樋支持具の施工性は良好であるとは言いがたい。加えて、固定具の鼻隠し板への釘固定の作業中、釘孔から釘が脱落して紛失しやすいという問題もある。
【０００９】
軒樋支持具の取り付けに先立って樋支持具を固定具に結合固定しておくと、固定具を鼻隠し板に釘固定することができないので、取り付け不可能となる。
【００１０】
本発明は、以上の通りの事情に鑑みてなされたものであり、勾配の付いた鼻隠し板であっても軒樋を軒先に沿って水平に取り付けることができるとともに、鼻隠し板への取り付けが容易な施工性に優れた軒樋支持具を提供することを課題としている。
【課題を解決するための手段】
【００１１】
本発明は、上記の課題を解決するために、表裏に貫通する第１取付孔が形成され鉛直または略鉛直方向に配置される固定部の表面に、軒樋と係合して軒樋を支持する吊部が突設された吊具本体と、表裏に貫通する第２取付孔が形成され、鉛直または略鉛直方向に配置可能な表面と鼻隠し板表面に当接可能な裏面とを有し、厚みが上端から下端に向かって漸増する板状の補助部材を備え、吊具本体と補助部材とは別体であり、補助部材の上端に、吊具本体の固定部の上端部と係合可能な保持片が左右一対として突設され、吊具本体の固定部の第１取付孔と補助部材の第２取付孔を一致させて吊具本体と補助部材を一体化し、第１取付孔および第２取付孔に固定具が挿入されて鼻隠し板に取り付けられる軒樋支持具であって、補助部材の第２取付孔の内周面には固定具を係止するための弾性保持部が形成され、一体化した軒樋支持具の鼻隠し板への取り付けに先立って吊具本体の固定部の第１取付孔および補助部材の第２取付孔に挿入された固定具が第２取付孔の弾性保持部で係止されて一体化した軒樋支持具に仮固定されることを特徴としている。
【発明の効果】
【００１２】
本発明によれば、吊具本体と補助部材とが別体とされているので、前傾する鼻隠し板の勾配に対応した厚みの漸増割合を有する補助部材を選定することにより、裏面を鼻隠し板の表面に当接させると、補助部材の表面が鉛直または略鉛直方向に配置され、吊具本体の固定部を鉛直または略鉛直に確実に配置することができ、吊具本体の吊部において軒樋を軒先に沿って水平に取り付けることができる。
【００１３】
また、補助部材に、吊具本体の固定部と係合可能な保持片が設けられているので、吊具本体の固定部の第１取付孔と補助部材の第２取付孔を一致させて一体化し、一体化した状態において鼻隠し板に釘、ビスなどの固定具を用いて固定し、取り付けることができ、取付手順が簡略化され、高所での取付作業の施工性が良好となる。
【００１４】
しかも、補助部材の第２取付孔の内周面に弾性保持部が形成されているので、一体化された軒樋支持具において、吊具本体の固定部の第１取付孔と補助部材の第２取付孔に固定具が挿入されることにより、固定具が補助部材の第２取付孔の弾性保持部に係止されて仮固定される。したがって、高所での取付作業中において固定具の脱落のおそれがなくなり、良好な施工性が実現される。
【発明を実施するための最良の形態】
【００１５】
図１は本発明の軒樋支持具の一実施形態を示した分解斜視図である。
【００１６】
図１に示した軒樋支持具１は、軒樋を吊持する吊具本体２と、吊具本体２による軒樋の水平な取り付けを実現するための補助部材３とをそれぞれ別体として備えている。
【００１７】
吊具本体２は、従来の軒樋支持具と同様な構成を有している。吊具本体２は、鉛直または略鉛直と見なすことのできる略鉛直方向に配置される板状の固定部４を備え、固定部４の表面上端部に吊部５が略垂直に突設されている。
【００１８】
吊部５は、軒樋と係合して軒樋を内側から支持することができるように、全体として屈曲して形成されており、前端部上端には、軒樋の前壁上端部に設けられた前耳部が嵌合可能な凹状の嵌合受け部６を有し、後端部下側には、軒樋の後壁上端部に設けられた後耳部を係止可能な、後端が上方に少し折れ曲がった係止突片７を有している。
【００１９】
固定部４には、吊部５の左右両外側に釘、ビスなどの固定具の第１取付孔８、９が表裏を貫通して形成され、上下に縦列して配置されている。第１取付孔８、９は、用いる固定具の種類や外径などに応じ、また、位置調整などを可能とするために、互いに異なる形状とされている。上の第１取付孔８は円形孔とされ、下の第１取付孔９はやや長孔状とされ、固定具の挿入位置を可変としている。
【００２０】
補助部材３は正面視略矩形の板状の部材である。補助部材３は、鉛直または略鉛直方向に配置可能な表面１０と、鼻隠し板表面に当接可能な裏面１１とを有し、厚みが上端から下端に向かって漸増している。つまり、補助部材３を表面１０が鉛直または略鉛直方向に配置されるように立てると、裏面１１は、上端から下端にかけて後方に傾斜して配置され、前傾している勾配の付いた鼻隠し板の表面に当接することができる。裏面１１の傾斜角度、言い換えると、補助部材３の厚みの漸増割合は、鼻隠し板の勾配に対応させることができ、一般に、鼻隠し板の勾配はある程度決まっており、４寸（２１°）勾配、５寸（２６°）勾配、６寸（３１°）勾配などの数種類の勾配に合わせてあらかじめ設計しておくことができる。したがって、補助部材３には、厚みの漸増割合が異なる複数のものが用意され、鼻隠し板の勾配に一致するものを選定することができる。
【００２１】
また、補助部材３には、上端に、保持片１２が左右一対として突設され、吊具本体２の固定部４上端部に係合するように形成される。例えば、補助部材３の上端から平行に吊具本体２の固定部４の厚み以内で前方に突出し、斜め下方に折れ曲がり、下方に垂れる部分が補助部材３の表面１０と対向している。側面視で略Ｌ字状の形状を有している。また、保持片１２は、吊具本体２の吊部５と干渉しない位置に左右対称に配置されるとともに、下方に垂れる部分の長さは、吊具本体２の固定部４に形成された一番上の第１取付孔８の上端縁までの長さとされている。この保持片１２の強度は、軒樋支持具１が鼻隠し板に取付固定されるまでの作業の期間中、吊具本体２が補助部材３に保持されて一体化している程度であればよい。したがって、保持片１２は、その材質が強固である必要はなく、弾性を有する材料であってもよい。保持片１２として弾性を有する材料を用いた場合、保持片１２の下方に垂れる部分と補助部材３の表面１０との間の間隔を広げるような変形力が加わったときに、変形に抗するように弾性力が発生し、保持片１２の下方に垂れる部分と補助部材３の表面１０との間に挟持し、弾性保持可能となる。保持片１２の弾性は、保持片１２を形成する材料による弾性のほか、保持片１２の形状、厚みなどによって実現することができ、また、調整可能でもある。このような保持片１２は、補助部材３においては、吊具本体２の固定部４の上端部に弾性的に係合可能とされている。つまり、保持片１２の下方に垂れる部分と補助部材３の表面１０との間の間隔が押し広げられたときに発生する弾性力によって、保持片１２は、吊具本体２の固定部４を厚み方向に挟持し、係合することができるようにしている。
【００２２】
さらに、補助部材３には、吊具本体２の固定部４に形成された第１取付孔８、９に対向する左右両外側に、補助部材３の表裏を貫通する円形状の第２取付孔１３、１４が形成され、第１取付孔８、９を通じて挿入される釘、ビスなどの固定具を鼻隠し板に向けて貫通可能にしている。第２取付孔１３、１４の内周面には、シリコンゴムやＥＰＤＭゴムなどの弾性材料からなる弾性保持部１５が形成されている。図２（ａ）（ｂ）に示すように、弾性保持部１５は、第２取付孔１３の前端１３ａから後端１３ｂまで内周面の全面にわたり所定の厚さをもって円筒状に形成されている。固定具１８の外径をＤ、弾性保持部１５で形成される孔径をｄとすると、孔径ｄが外径Ｄよりも小さくなる（ｄ＜Ｄ）になるようにする。このような弾性保持部１５で形成された第２取付孔１３に固定具１８が第１取付孔８を通じて挿入されると、弾性保持部１５の孔径ｄが固定具１８の外径Ｄよりも小さいので、挿入された固定具１８の円周上の弾性保持部１５が変形するが、この変形に抗する弾性力が発生するため、挿入された固定具１８がその円周上の弾性保持部１５で係止され、保持される。弾性保持部１５は第２取付孔１３の前端１３ａから後端１３ｂまで形成されているので、固定具１８が第２取付孔１３に挿入されればされるほど、より確実に保持され、脱落のおそれがなくなる。このような固定具１８の第２取付孔１３における保持は、一体化した軒樋支持具１に固定具１８を仮固定するものであり、高所での軒樋支持具１の鼻隠し板への取付作業において、固定具１８の脱落の心配がなくなり、良好な施工性を実現することができる。また、固定具１８が鼻隠し板に打入またはねじ込みされて軒樋支持具１が固定されると、第２取付孔１３においてその前端１３ａから後端１３ｂまで弾性保持部１５で固定具１８が保持されるので、軒樋支持具１の固定具１８による固定強度も高まる。
【００２３】
図２に示した弾性保持部１５は、第２取付孔１３の前端１３ａから後端１３ｂまで円筒状に形成されているが、前端１３ａのみに形成されていてもよい。例えば、図３に示すように、第２取付孔１３の前端１３ａ部分において内側方向に突設され、正面視リング状に形成されていてもよい。この場合も、弾性保持部１５で形成される孔径ｄが固定具１８の外径Ｄよりも小さくなるようにする。固定具１８として特にビスを用いた場合、固定具１８が第１取付孔８を通じて第２取付孔１３に挿入されると、弾性保持部１５が変形し、弾性保持部１５の先端がビスのネジ溝にはまって係止され、弾性保持部１５の弾性力によってビスが保持されるので、ビスの脱落を効果的に防止することができる。このような形状の弾性保持部１５は、材料コストが抑えられるほか、補助部材３の軽量化に寄与する利点もある。
【００２４】
この他、弾性保持部１５は、図４（ａ）に示すように、第２取付孔１３の円周上に正面視で鋸歯状に形成されていてもよいし、図４（ｂ）に示すように、正面視で略矩形の弾性保持部１５が円周上の上下左右の４箇所（９０°間隔）に内側方向に向かって、突設されるように形成されていてもよい。いずれの場合も、弾性保持部１５が第２取付孔１３の前端１３ａから後端１３ｂまで形成されていてもよいし、第２取付孔１３の前端１３ａ部分のみに形成されていてもよい。これら弾性保持部１５の効果は、図２や図３に示した弾性保持部１５と同様である。
【００２５】
このような吊具本体２および補助部材３は、ポリカーボネート製である。もちろん、吊具本体２および補助部材３は、他の適宜な樹脂または金属からも形成可能であり、また、吊具本体２と補助部材３とを異種材料から形成したり、各々において、要求される特性（例えば弾性など）などに応じて部位ごとに異種材料を適用したりなどすることも可能である。
【００２６】
以上の軒樋支持具１は、吊具本体２における固定部４の上端部に、補助部材３の両保持片１２が固定部４の厚み方向に弾性的に係合することにより、吊具本体２が補助部材３に保持され、図５に示したように一体化する。この際、保持片１２の補助部材３の上端から平行に延びる部分の下面に固定部４の上端面を当接させることができ、吊具本体２の補助部材３に対する位置決めが容易に実現され、吊具本体２の固定部４の第１取付孔８、９を補助部材３の第２取付孔に各々を一致させることができる。一体化のための操作は、吊具本体２の固定部４の上端部を補助部材３の両保持片１２の下側から補助部材３の表面１０との間に押し込み、発生する弾性力により保持片１２を吊具本体２の固定部４の上端部に厚み方向に係合させたり、また、その際に、保持片１２の下方に垂れる部分を前方に曲げ、このとき発生する弾性力を利用して係合させたりするなどが例示される。両保持片１２は、吊具本体２の吊部５と干渉しない位置に配置されているので、操作容易であり、また、一体化した状態において、保持片１２の下方に垂れる部分が吊具本体２の固定部４に形成された上の第１取付孔８にかぶらない。
【００２７】
このようにして一体化した状態において、軒樋支持具１の鼻隠し板への取り付けに先だって、釘、ビスなどの固定具１８（図７−９では図示なし）を吊具本体２の固定部４の第１取付孔８および補助部材３の第２取付孔１３、１４に挿入する。固定具１８が挿入されと、図６に示すように、補助部材３の第２取付孔１３の内周面に形成された弾性保持部１５材が変形し、その弾性力によって固定具１８が係止され、保持される。このような固定具１８の第２取付孔１３における保持により、固定具１８が一体化した軒樋支持具１に仮固定される。
【００２８】
このように、一体化した軒樋支持具に固定具が仮固定された状態で、図７に示したように、軒樋支持具１は、建物の軒先に配設された鼻隠し板１６に取り付けられる。
【００２９】
上記の通り、補助部材３には、厚みの漸増割合が異なる複数のものが用意され、鼻隠し板の勾配に一致するものが選定されるので、補助部材３は、裏面１１において、前傾し、勾配の付いた鼻隠し板１６の表面に当接する。したがって、補助部材３の表面１０は鉛直または略鉛直方向に配置され、保持片１２が厚み方向に係合して保持された吊具本体２の固定部４は鉛直または略鉛直方向に確実に配置され、吊部５は、軒樋の軒先に沿った水平な取り付けを可能とするように安定に配置される。仮固定された釘、ビスなどの固定具を鼻隠し板１６の内部に打入、ねじ込みなどすることにより、軒樋支持具１は、鼻隠し板１６に固定され、取り付けが完了する。
【００３０】
このように、軒樋支持具１は、別体とされた吊具本体２と補助部材３とを備えながらも、一体化した状態において釘、ビスなどの固定具で鼻隠し板１６に固定し、取り付けることができるので、取付手順が簡略化され、高所での取付作業の施工性が良好となっている。また、軒樋支持具１の鼻隠し板への取り付けに先だって、釘、ビスなどの固定具が一体化した軒樋支持具１に仮固定することができるので、高所において固定具を吊具本体２の固定部４の第１取付孔８、９および補助部材３の第２取付孔１３、１４に挿入する必要がなくなり、高所での作業が軽減されることはもちろん、取付作業中に固定具が脱落する心配もないので、さらに良好な取付作業の施工性が実現される。
【００３１】
軒樋支持具１の取り付け後、図８に示したように、軒樋１７の取り付けを行う。吊具本体２の吊部５において、軒樋１７の後壁１９の上端部に設けられた後耳部２０を係止突片７に引っ掛け、前壁２１の上端部に設けられた前耳部２２を嵌合受け部６に嵌合させると、係止突片７で係止されて軒樋１７は、建物の軒先に沿って水平に取り付けられる。
【００３２】
鼻隠し板１６の勾配が大きめの場合には、図９に示したように、補助部材３として厚みの漸増割合が大きいものを選定することにより、図７に示した取り付け状態と同じように、補助部材３は、裏面１１において、前傾し、勾配の付いた鼻隠し板１６の表面に当接し、補助部材３の表面１０は鉛直または略鉛直方向に配置され、保持片１２により保持された吊具本体２の固定部４は鉛直または略鉛直方向に確実に配置され、吊部５は、軒樋の軒先に沿った水平な取り付けを可能とするように安定に配置される。吊具本体２と補助部材３とが別体とされているので、軒樋支持具１では、前傾する鼻隠し板１６の勾配に対応した厚みの漸増割合を有する補助部材３を選定することにより、補助部材３の表面１０が鉛直または略鉛直方向に配置され、吊具本体２の固定部４を鉛直または略鉛直に確実に配置することができ、吊具本体２の吊部５において軒樋１７の軒先に沿った水平な取り付けを実現することができる。
【００３３】
図１０は、本発明の軒樋支持具における補助部材の別の形態を示した断面図である。
【００３４】
図１０に示した補助部材３は、保持片１２の形状において、図１および図５に示した補助部材３と異なっている。図１０に示した補助部材３の保持片１２は、補助部材３の上端から平行に吊具本体２の固定部４の厚み以内で前方に突出し、斜め下方に折れ曲がり、下方に垂れる部分が補助部材３の表面１０と対向するとともに、下端部１２ａが斜め前方に折れ曲がっている。このように斜め前方に折れ曲がる下端部１２ａによって、保持片１２の吊具本体２の固定部４への厚み方向の係合をより確実とするとともに、固定部４との衝撃を緩和させ、下端部１２ａの破損などを抑制している。本発明の軒樋支持具１において保持片１２の形状は、吊具本体２の固定部４上端部に厚み方向に弾性的に係合可能である限り種々の形状とすることができ、また、その数、配置位置などは、吊具本体２を補助部材３が安定に保持可能である限りにおいて、吊具本体２の形状、大きさなどを考慮して適宜変更可能である。
【００３５】
また、軒樋支持具１において、吊具本体２には、固定部４が鉛直または略鉛直方向に配置される従来の軒樋支持具を流用することが可能であり、この場合、補助部材３のみを、固定部の形状などに応じて新たに作製するだけですみ、コスト低減が図れる。また、吊部５の形状や構造、固定部４の形状などは、本発明の軒樋支持具１には様々なものが採用可能である。
【００３６】
さらに、鼻隠し板１６が前傾しない勾配のないものの場合には、補助部材３を取り付けず、吊具本体２のみを直接鼻隠し板１６に取り付けることにより、従来と同様に、軒樋１７を建物の軒先に沿って水平に取り付けることができる。したがって、鼻隠し板１６の施工状態に応じた取り付けを軒樋支持具１は実現する。軒樋支持具１の使用の自由度は大きい。
【００３７】
以上、実施形態に基づき本発明を説明したが、本発明は上記の実施形態に何ら限定されるものではなく、その要旨を逸脱しない範囲内において各種の変更が可能である。例えば、上記の実施形態では、補助部材の上端に、保持片が左右１対として突設されているが、補助部材の左右両側端に突設されて、吊具本体の固定部の側端部に係合可能とされていてもよい。
【図面の簡単な説明】
【００３８】
【図１】本発明の軒樋支持具の一実施形態を示した分解斜視図である。
【図２】（ａ）は図１に示した軒樋支持具の補助部材の第２取付孔に形成された弾性保持部を示した要部正面図であり、（ｂ）は要部断面図である。
【図３】図２に示した軒樋支持具の補助部材の第２取付孔に形成された弾性保持部とは別の形態を示した要部断面図である。
【図４】（ａ）、（ｂ）は図２に示した軒樋支持具の補助部材の第２取付孔に形成された弾性保持部とは別の形態を示した要部正面図である。
【図５】図１に示した軒樋支持具の斜視図である。
【図６】弾性保持部が一体化した吊具支持具に仮固定されている状態を示す要部断面図である。
【図７】図１および図５に示した軒樋支持具の鼻隠し板への取り付けについて示した要部断面図である。
【図８】軒樋の取り付けについて示した要部断面図である。
【図９】図１および図５に示した軒樋支持具の鼻隠し板への取り付けについて示した要部断面図である。
【図１０】本発明の軒樋支持具における補助部材の別の形態を示した断面図である。
【符号の説明】
【００３９】
１  軒樋支持具
２  吊具本体
３  補助部材
４  固定部
５  吊部
８  第１取付孔
９  第１取付孔
１０  表面
１１  裏面
１２  保持片
１３  第２取付孔
１４  第２取付孔
１５  弾性保持部
１６  鼻隠し板
１７  軒樋
１８  固定具
【図１】
0005117870.tif 000002
【図２】
0005117870.tif 000003
【図３】
0005117870.tif 000004
【図４】
0005117870.tif 000005
【図５】
0005117870.tif 000006
【図６】
0005117870.tif 000007
【図７】
0005117870.tif 000008
【図８】
0005117870.tif 000009
【図９】
0005117870.tif 000010
【図１０】
0005117870.tif 000011